(57)【特許請求の範囲】
【請求項１】
受信された放送信号から電波判別信号を生成し、生成された該電波判別信号の波形に基づいて、受信可能なチャンネルを検出する検出手段と、
地域及び該地域周辺に設置されている放送鉄塔から送信されているチャンネルグループに属する全てのチャンネルが受信可能であるか否かを判別する判別手段と、
前記チャンネルグループに属する全てのチャンネルが受信可能である少なくとも１つの放送鉄塔を抽出する抽出手段と、
前記少なくとも１つの放送鉄塔の中から受信すべき放送鉄塔を選択する選択手段とを有することを特徴とする放送受信装置。
【請求項２】
前記検出手段により検出された前記受信可能な各チャンネルの放送信号に含まれるデータ信号をエラー訂正する際のエラー率を求めるエラー訂正処理部と、
前記チャンネルグループに属する全てのチャンネルの前記エラー率から前記チャンネルグループのエラー率を算出する算出手段とを更に有し、
前記選択手段は、前記算出手段により算出された前記チャンネルグループのエラー率に基づいて、受信すべき放送鉄塔として選択することを特徴とする請求項１記載の放送受信装置。
【請求項３】
検出手段が、受信された放送信号から電波判別信号を生成し、生成された該電波判別信号の波形に基づいて、受信可能なチャンネルを検出する第１のステップと、
判別手段が地域及び該地域周辺に設置されている放送鉄塔から送信されているチャンネルグループに属する全てのチャンネルが受信可能であるか否かを判別する第２のステップと、
抽出手段が前記チャンネルグループに属する全てのチャンネルが受信可能である少なくとも１つの放送鉄塔を抽出する第３のステップと、
選択手段が前記少なくとも１つの放送鉄塔の中から受信すべき放送鉄塔を選択する第４のステップとを有することを特徴とする放送鉄塔選択方法。
【請求項４】
エラー訂正処理手段が、前記検出手段により検出された前記受信可能な各チャンネルの放送信号に含まれるデータ信号をエラー訂正する際のエラー率を求める第５のステップと、
算出手段が、前記チャンネルグループに属する全てのチャンネルの前記エラー率から前記チャンネルグループのエラー率を算出する第６のステップとを更に有し、
前記第４のステップにおいて、前記選択手段が、前記算出手段により算出された前記チャンネルグループのエラー率に基づいて、前記受信すべき放送鉄塔を選択することを特徴とする請求項３記載の放送鉄塔選択方法。
【請求項５】
コンピュータに、
検出手段が、受信された放送信号から電波判別信号を生成し、生成された該電波判別信号の波形に基づいて、受信可能なチャンネルを検出する第１のステップと、
判別手段が地域及び該地域周辺に設置されている放送鉄塔から送信されているチャンネルグループに属する全てのチャンネルが受信可能であるか否かを判別する第２のステップと、
抽出手段が前記チャンネルグループに属する全てのチャンネルが受信可能である少なくとも１つの放送鉄塔を抽出する第３のステップと、
選択手段が前記少なくとも１つの放送鉄塔の中から受信すべき放送鉄塔を選択する第４のステップとを実行させるための放送鉄塔選択プログラム。
【請求項６】
エラー訂正処理手段が、前記検出手段により検出された前記受信可能な各チャンネルの放送信号に含まれるデータ信号をエラー訂正する際のエラー率を求める第５のステップと、
算出手段が、前記チャンネルグループに属する全てのチャンネルの前記エラー率から前記チャンネルグループのエラー率を算出する第６のステップとを更に有し、
前記第４のステップにおいて、前記選択手段が、前記算出手段により算出された前記チャンネルグループのエラー率に基づいて、前記受信すべき放送鉄塔を選択することを実行させるための請求項５記載の放送鉄塔選択プログラム。
【発明の詳細な説明】
【０００１】
【発明の属する技術分野】
この発明は、放送鉄塔選択方法、放送鉄塔選択プログラム及び放送受信装置に関し、詳しくは、ある地域で放送されている複数のチャンネルの放送電波をまとめて送信可能な複数の放送鉄塔から１つの放送鉄塔を選択する放送鉄塔選択方法、放送鉄塔選択プログラム及びこのような放送鉄塔選択方法を適用した放送受信装置に関する。
【０００２】
【従来の技術】
放送受信装置は、放送局や、放送局からの放送信号又は放送電波を一旦受信した後視聴者や聴取者（以下、視聴者等と略す）に向けて放送電波を放射する送信アンテナ（以下、放送局等と略す）から送信される放送電波を受信アンテナにより受信し、受信した放送電波を信号処理した後、画像をディスプレイに表示したり、音声をスピーカから拡声出力するものである。したがって、視聴者等は、放送の視聴や聴取（以下、視聴等と略す）をするためには、受信アンテナにより放送電波を直接受信する必要がある。しかし、一般に、放送局等から送信される放送電波、特に、ＶＨＦ（very high frequency）帯の放送電波については、高層ビルや山等の障害物の影響やその電波出力の大きさなどにより、受信アンテナで直接受信することができる地域が限られている。
【０００３】
また、最近では、各地域に密着した放送を提供するローカルテレビ放送局やローカルＦＭ（frequency modulation）放送局（以下、総称するときにはローカル放送局と呼ぶ）が多数設立されているが、これらの場合には、その設立目的や経営規模等の関係上、放送電波の電波出力はあまり高いとは言えない。そのうえ、ローカルテレビ放送局は、一般に、ＵＨＦ（ultrahigh frequency）帯の放送電波を用いて放送するが、ＵＨＦ帯の放送電波を受信アンテナで直接受信することができる地域はＶＨＦ帯の放送電波を受信アンテナで直接受信することができる地域よりも狭い。
【０００４】
そこで、放送を直接受信することが困難な地域（以下、受信困難地域という）やローカル放送局が多数設立されている地域においては、従来から、ＶＨＦ帯の放送電波から変換されたＵＨＦ（ultrahigh frequency）帯の放送電波を含め、当該地域で放送されている複数の放送局の放送電波をまとめて送信することができる送信アンテナが取り付けられている鉄塔（以下、放送鉄塔）が設置されている。以下、このような放送鉄塔ごとに送信される放送局の放送電波のチャンネルのグループをチャンネルグループと呼ぶことにする。したがって、新たに放送受信装置を購入したり、当該地域に引っ越してきたりした場合には、視聴者等は、放送受信装置を操作して当該地域で受信可能な放送電波の選局を自動的に行わせる必要がある。
【０００５】
以下、従来のテレビ放送受信装置の放送鉄塔選択方法について説明する。なお、以下の説明では、１戸建ての住宅やアパート等の集合住宅等の屋上等に設けられている受信アンテナは、その向きが当該地域において最も良好な画質や音質が得られる放送電波を受信できる方向に存在する放送鉄塔に向けられていること前提としている。そして、放送鉄塔が多数設けられている地域では、受信アンテナがどの放送鉄塔に向けられているかについては視聴者等に簡単には把握できないことを前提としている。このような地域としては、例えば、神奈川県西部地方がある。図９は、神奈川県西部地方及びその周辺の地域において、放送鉄塔が設けられている場所の地名と、各放送鉄塔から放射される放送電波のテレビ放送局の通称及びチャンネルを示している。チャンネルは、第１チャンネル（ＶＨＦ帯）から第６２チャンネル（ＵＨＦ帯）まで存在する。また、図９に示す各チャンネルグループは、第１チャンネルから第６２チャンネルまでのうち、若い番号のチャンネルが多く含まれているものほど若い番号が付与されている。すなわち、放送鉄塔「東京」が第１チャンネルグループ、放送鉄塔「秦野」が第２チャンネルグループ、放送鉄塔「足柄」が第３チャンネルグループ、放送鉄塔「湯河原」が第４チャンネルグループ、放送鉄塔「小田原」が第５チャンネルグループということになる。なお、図９に示すような情報は、定期的に刊行物等により公開されている。
【０００６】
まず、従来のテレビ放送受信装置の構成について、図１０を参照して説明する。この例の従来のテレビ放送受信装置は、受信アンテナ１に接続されるものであり、チューナ２と、放送局判別部３と、映像・音声処理部４と、表示部５と、音声出力部６と、制御部７と、プログラム記憶部８と、既知鉄塔情報記憶部９と、受信放送局記憶部１０と、操作部１１とから構成されている。
チューナ２は、受信アンテナ１によって受信され変換された第１チャンネルから第６２チャンネルまでの放送信号を中間周波信号ＳＭに変換して映像・音声処理部４に供給するとともに、上記放送信号から放送局の放送電波の有無を判別するのに用いられる電波判別信号ＲＷＤを検出して放送局判別部３に供給する。放送局判別部３は、チューナ２から供給される電波判別信号ＲＷＤに基づいてテレビ放送を視聴することができるチャンネルを検出し、検出結果ＤＲを制御部７に供給する。映像・音声処理部４は、チューナ２から供給される中間周波信号ＳＭを信号処理して映像信号ＳＰ及び音声信号ＳＡを生成し、映像信号ＳＰを表示部５に音声信号ＳＡを音声出力部６に各々供給する。表示部５は、ＣＲＴディスプレイ、液晶ディスプレイ、あるいはプラズマディスプレイ等のディスプレイを有し、映像・音声処理部４から供給される映像信号ＳＰに基づいて画像をディスプレイに表示する。また、表示部５は、制御部７から供給されるデータ信号ＳＤに基づいて、受信可能なチャンネル、放送鉄塔、視聴者への指示等の各種情報をディスプレイに表示する。音声出力部６は、スピーカを有し、映像・音声処理部４から供給される音声信号ＳＡに基づいて音声を拡声出力する。
【０００７】
制御部７は、ＣＰＵ（中央処理装置）等からなり、プログラム記憶部８に記憶されているプログラムが読み出されることにより、当該プログラムを実行し、装置各部を制御する。例えば、制御部７は、放送局判別部３から供給される検出結果ＤＲに基づいて受信可能な放送鉄塔を選択し、チューナ２に当該放送鉄塔から放射される複数の放送電波を受信させる。プログラム記憶部８は、ＲＯＭ、ＲＡＭ、あるいはフラッシュメモリ等の半導体メモリからなり、制御部７が実行すべき各種プログラムが予め記憶されている。既知鉄塔情報記憶部９は、ＲＯＭ、ＲＡＭ、あるいはフラッシュメモリ等の半導体メモリからなり、日本全国に設置されているすべての放送鉄塔に関する放送鉄塔情報が予め記憶されている。この放送鉄塔情報とは、各放送鉄塔が送信可能な放送局の放送電波の種類、すなわち、上記チャンネルグループに関するものである。受信放送局記憶部１０は、ＲＡＭ、あるいはフラッシュメモリ等の半導体メモリからなり、後述する受信チャンネルテーブル１０ａ（図１３参照）や、最良な受信状態の放送鉄塔又はチャンネルに関する情報が記憶される。操作部１１は、電源スイッチ、音量調節キー、チャンネル切換キー、各種ファンクションキー、図示せぬリモートコントローラから放射される光信号又は電波を受信する受信部を有する。操作部１１は、各種キーあるいはリモートコントローラ（図示略）が視聴者によって操作されることにより、そのキー、あるいは光信号の種類及びキー等の押下時間に応じた信号を制御部７に供給する。
【０００８】
次に、上記構成のテレビ放送受信装置における放送鉄塔選択方法について説明する。視聴者は、この例のテレビ放送受信装置を受信アンテナ１に接続した後、テレビ放送受信装置に電源を投入する。次に、視聴者は、操作部１１又は図示せぬリモートコントローラを操作してこのテレビ放送受信装置を自動選局モードに設定した後、居住地域である「神奈川」を選択する。これにより、制御部７は、図１１に示すフローチャートに従って自動選局処理を開始する。
すなわち、制御部７は、まず、ステップＳＰ１の処理へ進み、第１チャンネルの放送電波を受信することかできるか否かを調べるために、チャンネルフラグＣＨに初期値として１をセットした後、ステップＳＰ２へ進む。
【０００９】
ステップＳＰ２では、制御部７は、放送判別部３から供給される検出結果ＤＲに基づいて、放送判別部３がチャンネルフラグＣＨの放送局があることを判別したか否かを判断する。放送判別部３は、以下に示す手法によりこの放送局の有無の判別を行う。チューナ２から供給される電波判別信号ＲＷＤは、図１２に示すような波形を有している。したがって、あるチャンネルの放送電波の中心周波数が所定の電圧Ｖ０であっても、当該受信アンテナ１が放送鉄塔から少しでも離れると振幅Ｈが極端に低くなるので、感度レベルは計測できず、感度レベルにより放送局の有無を判別することができない。そこで、従来では、当該放送電波の中心周波数の前後の周波数において電波判別信号ＲＷＤの波形が中心周波数を対称点としてＳ字カーブを描くか否かにより当該チャンネルの放送局の有無を判別している。図１２においては、電波判別信号ＲＷＤの波形は、第１及び第３チャンネルの中心周波数ｆ１及びｆ３を中心としてＳ字カーブを描くが、第２チャンネルの中心周波数ｆ２を中心としてはＳ字カーブを描いていない。したがって、この例の電波判別信号ＲＷＤの波形は、第１及び第３チャンネルの放送局はあるが、第２チャンネルの放送局はないことを示している。
【００１０】
ステップＳＰ２の判断結果が「ＹＥＳ」の場合、すなわち、チャンネルフラグＣＨの放送局があることを判別した場合には、制御部７は、ステップＳＰ３へ進む。今の場合、図１２から分かるように、電波判別信号ＲＷＤの波形は、チャンネルフラグＣＨが１、すなわち、第１チャンネルの放送局があることを示しているので、制御部７は、ステップＳＰ３へ進む。
ステップＳＰ３では、制御部７は、受信放送局記憶部１０に記憶されている受信チャンネルテーブル１０ａに設けられている当該チャンネルフラグＣＨの検出フラグＤＦを１にセットした後、ステップＳＰ５へ進む。ここで、受信チャンネルテーブル１０ａとは、第１チャンネルから第６２チャンネルについて検出フラグＤＦが０又は１にセットされるテーブルである。また、検出フラグＤＦとは、対応するチャンネルの放送局がステップＳＰ２の処理においてあると判断された場合に１にセットされ、ないと判断された場合に０にセットされるフラグである。今の場合、ステップＳＰ２の処理において第１チャンネルの放送局があると判断されているので、制御部７は、第１チャンネルの検出フラグＤＦを１にセットした後、ステップＳＰ５へ進む。
一方、ステップＳＰ２の判断結果が「ＮＯ」の場合、すなわち、チャンネルフラグＣＨの放送局がないことを判別した場合には、制御部７は、ステップＳＰ４へ進む。
ステップＳＰ４では、制御部７は、上記受信チャンネルテーブル１０ａに設けられているチャンネルフラグＣＨの検出フラグＤＦを０にセットした後、ステップＳＰ５へ進む。
【００１１】
ステップＳＰ５では、制御部７は、チャンネルフラグＣＨが６２であるか否かを判断する。この判断結果が「ＮＯ」の場合には、制御部７は、ステップＳＰ６へ進む。今の場合、チャンネルフラグＣＨは１であり、６２ではないので、制御部７は、ステップＳＰ６へ進む。
ステップＳＰ６では、制御部７は、チャンネルフラグＣＨに１をインクリメントした後、ステップＳＰ２へ戻り、上記したステップＳＰ２〜ＳＰ４の処理を繰り返す。そして、チャンネルフラグＣＨが６２になると、ステップＳＰ５の判断結果が「ＹＥＳ」となり、制御部７は、ステップＳＰ７へ進む。今の場合、以上説明したステップＳＰ２〜ＳＰ４の処理が繰り返されることにより、受信チャンネルテーブル１０ａの各チャンネルごとの検出フラグＤＦは、図１３に示すように、１又は０がセットされたものとする。
【００１２】
ステップＳＰ７では、制御部７は、第１チャンネルグループに属するすべてのチャンネルの放送電波を受信することかできるか否かを調べるために、チャンネルグループフラグＣＧに初期値として１をセットした後、ステップＳＰ８へ進む。ステップＳＰ８では、制御部７は、既知鉄塔情報記憶部９に記憶されている日本全国の既知鉄塔情報のうち、視聴者によって選択された地域及びその周辺の既知鉄塔情報と、受信放送局記憶部１０に記憶されている受信チャンネルテーブル１０ａとを参照して、当該チャンネルグループフラグＣＧのチャンネルグループに属するすべてのチャンネルの放送電波を受信することができるか否かを判断する。この判断結果が「ＮＯ」の場合には、制御部７は、ステップＳＰ９へ進む。今の場合、図９に示す「神奈川」及びその周辺の既知鉄塔情報と図１３に示す受信チャンネルテーブル１０ａとを比較して分かるように、第１チャンネルグループに属する第１チャンネル、第３チャンネル、第８チャンネル、第１２チャンネル、第１６チャンネルの各検出フラグＤＦは１にセットされているが、第４チャンネル、第６チャンネル、第１０チャンネル、第１４チャンネルの各検出フラグＤＦは０にセットされている。したがって、制御部７は、ステップＳＰ９へ進む。
【００１３】
ステップＳＰ９では、制御部７は、チャンネルグループフラグＣＧに１をインクリメントした後、ステップＳＰ８へ戻り、上記したステップＳＰ８の処理を繰り返す。そして、既知鉄塔情報（図９参照）と受信チャンネルテーブル１０ａ（図１３参照）とを参照して、チャンネルグループフラグＣＧのチャンネルグループに属するすべてのチャンネルの放送電波を受信することかできる場合には、ステップＳＰ８の判断結果が「ＹＥＳ」となり、制御部７は、ステップＳＰ１０へ進む。今の場合、図９と図１３とを比較して分かるように、第２チャンネルグループに属するすべてのチャンネルの各検出フラグＤＦが１にセットされているので、チャンネルグループフラグＣＧが２の場合に、制御部７は、ステップＳＰ１０へ進む。ステップＳＰ１０では、制御部７は、当該チャンネルグループフラグＣＧの値に対応したチャンネルグループを有する放送鉄塔を有効な放送鉄塔である有効放送鉄塔として受信放送記憶部１０に登録した後、一連の処理を終了する。今の場合、制御部７は、放送鉄塔「秦野」を有効放送鉄塔として受信放送記憶部１０に登録する。
【００１４】
【発明が解決しようとする課題】
上記したように、従来の放送鉄塔選択方法では、ステップＳＰ７〜ＳＰ１０の処理において、受信チャンネルテーブル１０ａを番号の若いチャンネルグループから順に比較しているので、視聴者が「小田原市」に居住しており、かつ、その「小田原市」に放送鉄塔「小田原」が設置されているにもかかわらず、放送鉄塔「秦野」が第２チャンネルグループであり、放送鉄塔「小田原」が第５チャンネルグループであるために、制御部７は、「小田原市」よりも遠い地域である「秦野市」に設置されている放送鉄塔「秦野」を有効放送鉄塔として受信放送記憶部１０に登録している。
このように、従来の放送鉄塔選択方法によれば、画質や音質が良くない放送鉄塔が有効放送鉄塔として登録されてしまう場合がある。そこで、このような場合、当該地域に設置されている複数の放送鉄塔の中で最良の画質や音質を提供する放送鉄塔を設定するためには、視聴者は、設定されている各チャンネルを１局ずつ変更しなければならず、手間がかかってしまう。また、このような１局ずつの変更ができない視聴者の場合には、電気店やサービス会社に連絡して店員やサービスマンに１局ずつ変更してもらう必要があるが、時間と費用がかかってしまう。
このような不都合点は、ローカルＦＭ放送局が多数設立されている地域においてもほぼ同様に発生する。
【００１５】
この発明は、上述の事情に鑑みてなされたもので、受信困難地域やローカル放送局が多数設立されている地域に設置されている複数の放送鉄塔の中で最良の画質や音質を提供する放送鉄塔を簡単な操作で自動的に選択することができる放送鉄塔選択方法、放送鉄塔選択プログラム及び放送受信装置を提供することを目的としている。
【００１７】
【課題を解決するための手段】
上記課題を解決するために、請求項１記載の発明は、放送受信装置に係り、受信された放送信号から電波判別信号を生成し、生成された該電波判別信号の波形に基づいて、受信可能なチャンネルを検出する検出手段と、地域及び該地域周辺に設置されている放送鉄塔から送信されているチャンネルグループに属する全てのチャンネルが受信可能であるか否かを判別する判別手段と、前記チャンネルグループに属する全てのチャンネルが受信可能である少なくとも１つの放送鉄塔を抽出する抽出手段と、前記少なくとも１つの放送鉄塔の中から受信すべき放送鉄塔を選択する選択手段とを有することを特徴としている。
【００１８】
また、請求項２記載の発明は、請求項１記載の放送受信装置に係り、前記検出手段により検出された前記受信可能な各チャンネルの放送信号に含まれるデータ信号をエラー訂正する際のエラー率を求めるエラー訂正処理部と、前記チャンネルグループに属する全てのチャンネルの前記エラー率から前記チャンネルグループのエラー率を算出する算出手段とを更に有し、前記選択手段が、前記算出手段により算出された前記チャンネルグループのエラー率に基づいて、受信すべき放送鉄塔として選択することを特徴としている。
【００２０】
また、請求項３記載の発明は、放送鉄塔選択方法に係り、検出手段が、受信された放送信号から電波判別信号を生成し、生成された該電波判別信号の波形に基づいて、受信可能なチャンネルを検出する第１のステップと、判別手段が地域及び該地域周辺に設置されている放送鉄塔から送信されているチャンネルグループに属する全てのチャンネルが受信可能であるか否かを判別する第２のステップと、抽出手段が前記チャンネルグループに属する全てのチャンネルが受信可能である少なくとも１つの放送鉄塔を抽出する第３のステップと、選択手段が前記少なくとも１つの放送鉄塔の中から受信すべき放送鉄塔を選択する第４のステップとを有することを特徴としている。
【００２１】
また、請求項４記載の発明は、請求項３記載の放送鉄塔選択方法に係り、エラー訂正処理手段が、前記検出手段により検出された前記受信可能な各チャンネルの放送信号に含まれるデータ信号をエラー訂正する際のエラー率を求める第５のステップと、算出手段が、前記チャンネルグループに属する全てのチャンネルの前記エラー率から前記チャンネルグループのエラー率を算出する第６のステップとを更に有し、前記第４のステップにおいて、前記選択手段が、前記算出手段により算出された前記チャンネルグループのエラー率に基づいて、前記受信すべき放送鉄塔を選択することを特徴としている。
【００２３】
また、請求項５記載の発明は、機械読み取り可能な放送鉄塔選択プログラムに係り、コンピュータに、検出手段が、受信された放送信号から電波判別信号を生成し、生成された該電波判別信号の波形に基づいて、受信可能なチャンネルを検出する第１のステップと、判別手段が地域及び該地域周辺に設置されている放送鉄塔から送信されているチャンネルグループに属する全てのチャンネルが受信可能であるか否かを判別する第２のステップと、抽出手段が前記チャンネルグループに属する全てのチャンネルが受信可能である少なくとも１つの放送鉄塔を抽出する第３のステップと、選択手段が前記少なくとも１つの放送鉄塔の中から受信すべき放送鉄塔を選択する第４のステップとを実行させることを特徴としている。
【００２４】
また、請求項６記載の発明は、請求項５記載の機械読み取り可能な放送鉄塔選択プログラムに係り、エラー訂正処理手段が、前記検出手段により検出された前記受信可能な各チャンネルの放送信号に含まれるデータ信号をエラー訂正する際のエラー率を求める第５のステップと、算出手段が、前記チャンネルグループに属する全てのチャンネルの前記エラー率から前記チャンネルグループのエラー率を算出する第６のステップとを更に有し、前記第４のステップにおいて、前記選択手段が、前記算出手段により算出された前記チャンネルグループのエラー率に基づいて、前記受信すべき放送鉄塔を選択することを実行させることを特徴としている。
【００２５】
【発明の実施の形態】
以下、図面を参照して、この発明の実施の形態について説明する。説明は、実施例を用いて具体的に行う。
Ａ．第１の実施例
この発明の第１の実施例について説明する。
まず、テレビ放送受信装置の構成については、図１０に示す従来のテレビ放送受信装置の構成と略同様であるとする。ただし、制御部７が実行する自動選局処理については後述するように異なる。
次に、この例の放送鉄塔選択方法について説明する。視聴者は、テレビ放送受信装置を受信アンテナ１に接続した後、テレビ放送受信装置に電源を投入する。次に、視聴者は、操作部１１又は図示せぬリモートコントローラを操作してこのテレビ放送受信装置を自動選局モードに設定した後、居住地域である「神奈川」を選択する。これにより、制御部７は、図１に示すフローチャートに従って自動選局処理を開始する。ここで、図１と図１１とを比較して分かるように、ステップＳＰ１〜ＳＰ７までは同一である。したがって、以下では、この発明の特徴であるステップＳＰ８以降について主に説明する。
【００２６】
既に説明したように、ステップＳＰ２〜ＳＰ４の処理が繰り返されることにより、受信チャンネルテーブル１０ａの各チャンネルごとの検出フラグＤＦは、図１３に示すように、１又は０がセットされる。
ステップＳＰ８では、制御部７は、既知鉄塔情報記憶部９に記憶されている日本全国の既知鉄塔情報のうち、視聴者によって選択された地域及びその周辺の既知鉄塔情報と、受信放送局記憶部１０に記憶されている受信チャンネルテーブル１０ａとを参照して、当該チャンネルグループフラグＣＧのチャンネルグループに属するすべてのチャンネルの放送電波を受信することができるか否かを判断する。この判断結果が「ＮＯ」の場合には、制御部７は、ステップＳＰ２１へ進む。今の場合、図９に示す神奈川県西部地方及び及びその周辺の既知鉄塔情報と図１３に示す受信チャンネルテーブル１０ａとを比較して分かるように、第１チャンネルグループに属する第１チャンネル、第３チャンネル、第８チャンネル、第１２チャンネル、第１６チャンネルの各検出フラグＤＦは１にセットされているが、第４チャンネル、第６チャンネル、第１０チャンネル、第１４チャンネルの各検出フラグＤＦは０にセットされている。したがって、制御部７は、ステップＳＰ２１へ進む。
【００２７】
ステップＳＰ２１では、制御部７は、受信放送局記憶部１０に記憶されている有効放送鉄塔テーブル１０ｂ（図２参照）に設けられている当該チャンネルグループフラグＣＧの有効鉄塔候補フラグＥＴを０にセットした後、ステップＳＰ２２へ進む。ここで、有効放送鉄塔テーブル１０ｂとは、視聴者によって選択された地域及びその周辺の既知鉄塔情報を構成する放送鉄塔について有効鉄塔フラグＥＴが０又は１にセットされるテーブルである。また、有効鉄塔候補フラグＥＴとは、ステップＳＰ８の処理において、対応する放送鉄塔、すなわち、対応する当該チャンネルグループフラグＣＧのチャンネルグループに属するすべてのチャンネルの放送電波を受信することができると判断された場合に当該放送鉄塔を有効放送鉄塔の１つの候補とするために１にセットされ、できないと判断された場合に当該放送鉄塔を有効放送鉄塔の１つの候補としないために０にセットされるフラグである。今の場合、ステップＳＰ８の処理において第１チャンネルグループに属するすべてのチャンネルの放送電波を受信することはできないと判断されているので、制御部７は、第１チャンネルグループの有効鉄塔候補フラグＥＴを０にセットした後、ステップＳＰ２２へ進む。
ステップＳＰ２２では、制御部７は、チャンネルグループフラグＣＧが最大値ＭＡＸに等しいか否かを判断する。この判断結果が「ＮＯ」の場合には、ステップＳＰ９へ進む。今の場合、最大値ＭＡＸは５である（図９参照）のに対し、チャンネルグループフラグＣＧは１であるので、制御部７は、ステップＳＰ９へ進む。
ステップＳＰ９では、制御部７は、チャンネルグループフラグＣＧに１をインクリメントした後、ステップＳＰ８へ戻る。
【００２８】
ステップＳＰ８の判断結果が「ＹＥＳ」の場合、すなわち、既知鉄塔情報記憶部９に記憶されている日本全国の既知鉄塔情報のうち、視聴者によって選択された地域及びその周辺の既知鉄塔情報と、受信放送局記憶部１０に記憶されている受信チャンネルテーブル１０ａとを参照して、当該チャンネルグループフラグＣＧのチャンネルグループに属するすべてのチャンネルの放送電波を受信することができる場合には、制御部７は、ステップＳＰ２３へ進む。今の場合、図９と図１３とを比較して分かるように、第２、第４及び第５チャンネルグループに属するすべてのチャンネルの各検出フラグＤＦが１にセットされているので、チャンネルグループフラグＣＧが２、４及び５の場合に、制御部７は、ステップＳＰ２３へ進む。
ステップＳＰ２２では、制御部７は、図２に示す有効放送鉄塔テーブル１０ｂに設けられている当該チャンネルグループフラグＣＧの有効鉄塔候補フラグＥＴを１にセットした後、ステップＳＰ２２へ進む。今の場合、図２に示すように、チャンネルグループフラグＣＧが２、４及び５の場合には、制御部７は、対応する有効鉄塔候補フラグＥＴを１にセットする。
【００２９】
そして、チャンネルグループフラグＣＧがＭＡＸになると、ステップＳＰ２２の判断結果が「ＹＥＳ」となり、制御部７は、ステップＳＰ２４へ進む。今の場合、チャンネルグループフラグＣＧが５になると、制御部７は、ステップＳＰ２４へ進む。ステップＳＰ２４では、制御部７は、表示部５に所定のデータ信号ＳＤを供給することにより、例えば、図３に示すように、受信可能チャンネル一覧表２１、放送鉄塔一覧表２２、選択ボタン２３１〜２３３をディスプレイに表示するように指示するとともに、チューナ２を制御して、視聴者による操作部１１又は図示せぬリモートコントローラの操作に応じてディスプレイに表示させるべき放送局のチャネルの切り換えを指示する。これにより、ディスプレイには、上記した受信可能チャンネル一覧表２１、放送鉄塔一覧表２２、選択ボタン２３１〜２３３とともに、視聴者により選択されたチャンネルのテレビ画面２４が表示される。また、スピーカからはテレビ画面２４に対応する音声が拡声出力される。
【００３０】
図３において、受信可能チャンネル一覧表２１は、図１３に示す受信チャンネルテーブル１０ａの内容を視聴者にわかりやすく表示するために、チャンネルフラグＣＨを「チャンネル」と表示するとともに、検出フラグＤＦを「有無」と表示し、検出フラグＤＦの１又は０のセットを「○」又は「×」で表示している。また、放送鉄塔一覧表２２は、図９の内容そのものとともに、視聴者によって現在選択されている放送鉄塔及びチャンネルをハイライト表示するものである。図３は、右上がりの斜線を施している放送鉄塔「秦野」が選択され、左上がりの斜線を施している「ＮＨＫ教育」が選択されていることを示している。したがって、テレビ画面２４には、放送鉄塔「秦野」から送信された第２０チャンネルの放送電波「ＮＨＫ教育」の番組が表示されている。
また、選択ボタン２３１〜２３３は、放送鉄塔「東京」、「秦野」、「足柄」、「湯河原」及び「小田原」のうち、ステップＳＰ２３の処理において有効鉄塔候補フラグＥＴが１にセットされたものに対応して、放送鉄塔一覧表２２の上方に表示されるものである。視聴者が選択ボタン２３１〜２３３のいずれか１個をハイライト表示させた後、操作部１１又は図示せぬリモートコントローラの決定キー等を押下することにより、当該放送鉄塔を有効放送鉄塔として選択する場合に用いられる。
【００３１】
したがって、視聴者は、操作部１１又は図示せぬリモートコントローラを操作して、選択ボタン２３１〜２３３が表示されている放送鉄塔の各チャンネルを選択することにより、図３に示すテレビ画面２４や音声を視聴して、画質や音質の良好なチャンネルを多く含む放送鉄塔を選択し決定し、選択ボタン２３１〜２３３のいずれか１個をハイライト表示させた後、決定キー等を押下する。今の場合、視聴者は、放送鉄塔「小田原」を選択し決定し、選択ボタン２３３をハイライト表示させた後、決定キー等を押下したものとする。これにより、操作部１１は、視聴者の操作に応じた信号を制御部７に供給するので、制御部７は、ステップＳＰ２５へ進む。ステップＳＰ２５では、制御部７は、操作部１１から供給される信号に対応した放送鉄塔を有効放送鉄塔として受信放送記憶部１０に記憶した後、一連の処理を終了する。今の場合、制御部７は、放送鉄塔「小田原」を有効放送鉄塔として受信放送記憶部１０に記憶する。
【００３２】
このように、この例の構成によれば、受信困難地域やローカル放送局が多数設立されている地域に設置されている複数の放送鉄塔の中から、当該チャンネルグループフラグＣＧのチャンネルグループに属するすべてのチャンネルの放送電波を受信することができる有効放送鉄塔候補を選択し、その有効放送鉄塔候補からの放送電波によるテレビ番組を視聴者に実際に視聴させて視聴者が最良の画質や音質を提供する放送鉄塔を選択させている。したがって、従来のように、画質や音質が良くない放送鉄塔が有効放送鉄塔として登録されてしまうおそれがない。したがって、視聴者は、最良の画質や音質を提供する放送鉄塔を設定するために設定されている各チャンネルを１局ずつ変更する必要がないとともに、電気店やサービス会社に連絡して設定してもらう必要もない。これにより、視聴者は、新しくテレビ放送受信装置を購入したり、引っ越した場合であっても、直ちに最良な画質や音質でテレビ放送を楽しむことができる。
【００３３】
Ｂ．第２の実施例
次に、この発明の第２の実施例について説明する。
図４は、この発明の第２の実施例である放送鉄塔選択方法を適用したテレビ放送受信装置の構成を示すブロック図である。この図において、図１０の各部に対応する部分には同一の符号を付け、その説明を省略する。図４に示すテレビ放送受信装置においては、チューナ２に換えてチューナ３１が新たに設けられているとともに、ＶＢＩ信号抽出部３２及びエラー訂正処理部３３が新たに設けられている。
【００３４】
ここで、ＶＢＩ信号とは、放送信号の隙間である垂直帰線期間（ＶＢＩ；Vertical Blanking Interval）に挿入されたデータ信号をいう。このＶＢＩ信号は、文字をテレビ画面に重畳させて表示したり、インターネットとテレビ放送受信装置とを接続することにより、放送局が管理運営するｗｅｂページ内の情報とテレビ画面上に表示されている情報とを関連させるために使用される。また、このＶＢＩ信号は、デジタル信号であるため、ノイズの影響を受けてデータが全く異なった値になり、エラーになりやすい。受信アンテナが放送鉄塔から遠く離れれば離れるほどノイズも増加するので、放送信号からＶＢＩ信号を抽出してもエラーになりやすくなる。そこで、ノイズの影響を受けてもデータを正しく伝送するために、ＶＢＩ信号にエラー訂正信号を付加している。通常、エラー訂正処理は、比較的弱い訂正処理から徐々に強い訂正処理に移行してエラーがなくなるまで行う。このエラー訂正処理を行った回数がエラー率となる。
したがって、この例においては、エラー率が小さいほど受信アンテナと放送鉄塔との距離が近いものと把握し、複数の放送鉄塔のうち、最もエラー率が小さいものを有効放送鉄塔として登録するのである。
【００３５】
チューナ３１は、図１０に示すチューナ２が有する機能を有する他、放送信号ＳＲをＶＢＩ信号抽出部３２に供給する。ＶＢＩ信号抽出部３２は、制御部７からのＶＢＩ信号抽出の指示に基づいて、放送信号ＳＲからＶＢＩ信号を抽出してエラー訂正処理部３３に供給するとともに、ＶＢＩ信号を抽出した旨を示す抽出信号ＥＸを制御部７に供給する。エラー訂正処理部３３は、制御部７からのエラー訂正処理開始の指示に基づいて、ＶＢＩ信号のエラー訂正処理を行った後、エラー訂正処理の際に測定されたエラー率ＥＲを制御部７に供給する。
【００３６】
次に、上記構成のテレビ放送受信装置における放送鉄塔選択方法について説明する。視聴者は、この例のテレビ放送受信装置を受信アンテナ１に接続した後、テレビ放送受信装置に電源を投入する。次に、視聴者は、操作部１１又は図示せぬリモートコントローラを操作してこのテレビ放送受信装置を自動選局モードに設定した後、居住地域である「神奈川」を選択する。これにより、制御部７は、図５に示すフローチャートに従って自動選局処理を開始する。
すなわち、制御部７は、まず、ステップＳＰ１の処理へ進み、第１チャンネルの放送電波を受信することかできるか否かを調べるために、チャンネルフラグＣＨに初期値として１をセットした後、ステップＳＰ２へ進む。
【００３７】
ステップＳＰ２では、制御部７は、放送判別部３から供給される検出結果ＤＲに基づいて、放送判別部３がチャンネルフラグＣＨの放送局があることを判別したか否かを判断する。放送判別部３が放送局の有無の判別を行う手法については上記した従来の選局方法と同様であるので、その説明を省略する。ステップＳＰ２の判断結果が「ＹＥＳ」の場合、すなわち、チャンネルフラグＣＨの放送局があることを判別した場合には、制御部７は、ステップＳＰ３へ進む。今の場合、図１２から分かるように、電波判別信号ＲＷＤの波形は、チャンネルフラグＣＨが１、すなわち、第１チャンネルの放送局があることを示しているので、制御部７は、ステップＳＰ３へ進む。
ステップＳＰ３では、制御部７は、受信放送局記憶部１０に記憶されている受信チャンネルテーブル１０ｃ（図６参照）に設けられている当該チャンネルフラグＣＨの検出フラグＤＦを１にセットした後、ステップＳＰ５へ進む。ここで、受信チャンネルテーブル１０ｃとは、第１チャンネルから第６２チャンネルについて検出フラグＤＦが０又は１にセットされるとともに、後述するエラー率が記憶されるテーブルである。今の場合、ステップＳＰ２の処理において第１チャンネルの放送局があると判断されているので、制御部７は、第１チャンネルの検出フラグＤＦを１にセットした後、ステップＳＰ３１へ進む。
【００３８】
ステップＳＰ３１では、制御部７は、ＶＢＩ信号抽出部３２に対してＶＢＩ信号抽出を指示し、ＶＢＩ信号抽出部３２から抽出信号ＥＸが供給されたか否かを判断する。この判断結果が「ＮＯ」の場合には、制御部７は、ステップＳＰ５へ進む。今の場合、第１チャンネルの放送信号からＶＢＩ信号が抽出されないので、ＶＢＩ信号抽出部３２から抽出信号ＥＸが供給されないため、制御部７は、ステップＳＰ５へ進む。一方、ステップＳＰ３１の判断結果が「ＹＥＳ」の場合、すなわち、ＶＢＩ信号抽出部３２から抽出信号ＥＸが供給された場合には、制御部７は、ステップＳＰ３２へ進む。ステップＳＰ３２では、制御部７は、エラー訂正処理部３３に対してエラー訂正処理開始を指示する。これにより、エラー訂正処理部３３は、ＶＢＩ信号抽出部３２から供給されるＶＢＩ信号のエラー訂正処理を行った後、エラー訂正処理の際に測定されたエラー率ＥＲを制御部７に供給する。したがって、制御部７は、エラー訂正処理部３３から供給されたエラー率ＥＲを、受信チャンネルテーブル１０ｃの当該チャンネルフラグＣＨに対応する記憶領域に記憶した後、ステップＳＰ５へ進む。
【００３９】
また、ステップＳＰ２の判断結果が「ＮＯ」の場合、すなわち、チャンネルフラグＣＨの放送局がないことを判別した場合には、制御部７は、ステップＳＰ４へ進む。
ステップＳＰ４では、制御部７は、上記受信チャンネルテーブル１０ｃに設けられているチャンネルフラグＣＨの検出フラグＤＦを０にセットした後、ステップＳＰ５へ進む。
【００４０】
ステップＳＰ５では、制御部７は、チャンネルフラグＣＨが６２であるか否かを判断する。この判断結果が「ＮＯ」の場合には、制御部７は、ステップＳＰ６へ進む。今の場合、チャンネルフラグＣＨは１であり、６２ではないので、制御部７は、ステップＳＰ６へ進む。
ステップＳＰ６では、制御部７は、チャンネルフラグＣＨに１をインクリメントした後、ステップＳＰ２へ戻り、上記したステップＳＰ２、ＳＰ３、ＳＰ４、ＳＰ３１及びＳＰ３２の処理を繰り返す。そして、チャンネルフラグＣＨが６２になると、ステップＳＰ５の判断結果が「ＹＥＳ」となり、制御部７は、ステップＳＰ７へ進む。今の場合、以上説明したステップＳＰ２、ＳＰ３、ＳＰ４、ＳＰ３１及びＳＰ３２の処理が繰り返されることにより、受信チャンネルテーブル１０ｃの各チャンネルごとの検出フラグＤＦは、図６に示すように、１又は０がセットされるとともに、ＶＢＩ信号が検出されたチャンネルについてはエラー率ＥＲが測定されて記憶されたものとする。
【００４１】
ステップＳＰ７では、制御部７は、第１チャンネルグループに属するすべてのチャンネルの放送電波を受信することかできるか否かを調べるために、チャンネルグループフラグＣＧに初期値として１をセットした後、ステップＳＰ８へ進む。ステップＳＰ８では、制御部７は、既知鉄塔情報記憶部９に記憶されている日本全国の既知鉄塔情報のうち、視聴者によって選択された地域及びその周辺の既知鉄塔情報と、受信放送局記憶部１０に記憶されている受信チャンネルテーブル１０ｃとを参照して、当該チャンネルグループフラグＣＧのチャンネルグループに属するすべてのチャンネルの放送電波を受信することができるか否かを判断する。この判断結果が「ＮＯ」の場合には、制御部７は、ステップＳＰ２１へ進む。今の場合、図９に示す神奈川県西部地方及び及びその周辺の既知鉄塔情報と図６に示す受信チャンネルテーブル１０ｃとを比較して分かるように、第１チャンネルグループに属する第１チャンネル、第３チャンネル、第８チャンネル、第１２チャンネル、第１６チャンネルの各検出フラグＤＦは１にセットされているが、第４チャンネル、第６チャンネル、第１０チャンネル、第１４チャンネルの各検出フラグＤＦは０にセットされている。したがって、制御部７は、ステップＳＰ２１へ進む。
【００４２】
ステップＳＰ２１では、制御部７は、受信放送局記憶部１０に記憶されている有効放送鉄塔テーブル１０ｄ（図７参照）に設けられている当該チャンネルグループフラグＣＧの有効鉄塔候補フラグＥＴを０にセットした後、ステップＳＰ２２へ進む。ここで、有効放送鉄塔テーブル１０ｂとは、視聴者によって選択された地域及びその周辺の既知鉄塔情報を構成する各放送鉄塔について有効鉄塔フラグＥＴが０又は１にセットされるとともに、各放送鉄塔、すなわち、各チャンネルグループフラグＣＧのチャンネルグループに属する複数のチャンネルのうち、ＶＢＩ信号が抽出されたチャンネルのエラー率の平均と、そのエラー率平均のチャンネルグループの順位が記憶されるテーブルである。今の場合、ステップＳＰ８の処理において第１チャンネルグループに属するすべてのチャンネルの放送電波を受信することはできないと判断されているので、制御部７は、第１チャンネルグループの有効鉄塔候補フラグＥＴを０にセットした後、ステップＳＰ２２へ進む。
ステップＳＰ２２では、制御部７は、チャンネルグループフラグＣＧが最大値ＭＡＸに等しいか否かを判断する。この判断結果が「ＮＯ」の場合には、ステップＳＰ９へ進む。今の場合、最大値ＭＡＸは５である（図９参照）のに対し、チャンネルグループフラグＣＧは１であるので、制御部７は、ステップＳＰ９へ進む。
ステップＳＰ９では、制御部７は、チャンネルグループフラグＣＧに１をインクリメントした後、ステップＳＰ８へ戻る。
【００４３】
ステップＳＰ８の判断結果が「ＹＥＳ」の場合、すなわち、既知鉄塔情報記憶部９に記憶されている日本全国の既知鉄塔情報のうち、視聴者によって選択された地域及びその周辺の既知鉄塔情報と、受信放送局記憶部１０に記憶されている受信チャンネルテーブル１０ｃとを参照して、当該チャンネルグループフラグＣＧのチャンネルグループに属するすべてのチャンネルの放送電波を受信することができる場合には、制御部７は、ステップＳＰ２３へ進む。今の場合、図９と図６とを比較して分かるように、第２、第４及び第５チャンネルグループに属するすべてのチャンネルの各検出フラグＤＦが１にセットされているので、チャンネルグループフラグＣＧが２、４及び５の場合に、制御部７は、ステップＳＰ２３へ進む。
ステップＳＰ２２では、制御部７は、図７に示す有効放送鉄塔テーブル１０ｄに設けられている当該チャンネルグループフラグＣＧの有効鉄塔候補フラグＥＴを１にセットした後、ステップＳＰ２２へ進む。今の場合、図７に示すように、チャンネルグループフラグＣＧが２、４及び５の場合には、制御部７は、対応する有効鉄塔候補フラグＥＴを１にセットする。
【００４４】
そして、チャンネルグループフラグＣＧがＭＡＸになると、ステップＳＰ２２の判断結果が「ＹＥＳ」となり、制御部７は、ステップＳＰ３３へ進む。今の場合、チャンネルグループフラグＣＧが５になると、制御部７は、ステップＳＰ３３へ進む。
ステップＳＰ３３では、制御部７は、図６に示す受信チャンネルテーブル１０ｃに記憶されている各チャンネルのエラー率を各チャンネルグループごと、すなわち、各放送鉄塔ごとに合計し、その合計値をＶＢＩ信号が抽出されたチャンネル数で除算することにより各放送鉄塔ごとのエラー率平均を演算し、図７に示す有効放送鉄塔テーブル１０ｄに一旦記憶する。次に、制御部７は、図７に示す有効放送鉄塔テーブル１０ｄに記憶されている放送鉄塔ごとのエラー率平均を比較し、小さい値から順位を付与し、その順位を図７に示す有効放送鉄塔テーブル１０ｄに記憶する。図７の例では、エラー率平均は、放送鉄塔「小田原」が「１」、放送鉄塔「湯河原」が「４２．７」、放送鉄塔「秦野」が「６２．３」であるから、エラー率平均順位は、放送鉄塔「小田原」が第１位、放送鉄塔「湯河原」が第２位、放送鉄塔「秦野」が第３位となる。これにより、制御部７は、エラー率平均順位が第１位の放送鉄塔を有効放送鉄塔として受信放送記憶部１０に記憶した後、一連の処理を終了する。今の場合、制御部７は、放送鉄塔「小田原」を有効放送鉄塔として受信放送記憶部１０に記憶する。
【００４５】
このように、この例の構成によれば、各チャンネルの放送信号からＶＢＩ信号を抽出してＶＢＩ信号のエラー訂正処理におけるエラー率を求め、各放送鉄塔ごとのエラー率平均を演算し、エラー率平均順位が第１位の放送鉄塔を有効放送鉄塔として登録している。これにより、上記した第１の実施例に比べて視聴者の手を煩わせることがないので、操作性が向上する。
【００４６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の各実施例においては、１つの放送鉄塔のみを有効放送鉄塔として登録する例を示したが、これに限定されず、甲乙付けがたい放送鉄塔が複数ある場合には、いずれも有効放送鉄塔として登録しても良い。
【００４７】
また、上述の各実施例においては、有効放送鉄塔として登録された放送鉄塔に関する情報や、有効放送鉄塔候補に関する情報に基づいて、テレビ放送受信装置が設置されている位置（地域）を大まかに認識することができる。例えば、図８において、受信アンテナ１がテレビ放送受信装置が設置されている位置とすると、上述の第１及び第２実施例において有効放送鉄塔として登録された放送鉄塔に関する情報や、有効放送鉄塔候補に関する情報に基づいて、放送鉄塔４１が放送鉄塔「小田原」、放送鉄塔４２が放送鉄塔「湯河原」、放送鉄塔４３が放送鉄塔「秦野」、放送鉄塔４４が放送鉄塔「足柄」ということになる。何故なら、有効放送鉄塔として、放送鉄塔「小田原」が登録されるとともに、第２の実施例において、図７に示す有効放送鉄塔テーブル１０ｄから分かるように、放送鉄塔「湯河原」の方が放送鉄塔「秦野」よりエラー率平均順位が良いからである。
そこで、この例のテレビ放送受信装置は、あるチャンネルのテレビ番組が全国又は広域的な地域（例えば、関東）において同一内容である場合でも、その設置地域（例えば、小田原市）以外の地域（例えば、茨城県）に関する内容の情報については削除し、その換わりに、当該設置地域の情報、例えば、データ放送の場合、イベント情報や天気予報、あるいは災害の発生状況などの通知等を行うことができる。このようにすれば、視聴者は、必要な情報だけを入手することができ、利便性が向上する。
また、テレビ放送受信装置に公衆電話網等を介してインターネットと接続可能な通信手段を設けることにより、テレビ放送局は、地域別のテレビ番組の視聴率を把握したり、当該放送鉄塔から放送電波を受信している視聴者の数を把握することができる。この結果、テレビ放送局は、当該地域における各種設備の設置計画を立案しやすくなる。
【００４８】
また、上述の第１の実施例においては、テレビ放送受信装置には、１個のチューナが設けられている例を示したが、これに限定されず、この発明は、複数個のチューナが設けられているテレビ放送受信装置にも適用することができる。この場合、同時に各チューナに異なる放送鉄塔から送信される同一放送局のテレビ放送を受信させて同時にディスプレイに表示して、視聴者に比較させても良い。また、１個のチューナが設けられているテレビ放送受信装置においても、異なる放送鉄塔から送信される同一放送局のテレビ番組（動画又は静止画）を順次受信させて各々録画させた後、同時にディスプレイに表示して、視聴者に比較させても良い。
また、上述の第２の実施例では、ステップＳＰ３３の処理において、各放送鉄塔ごとのエラー率平均を演算し、最もエラー率が小さいものを有効放送鉄塔として登録する例を示したが、これに限定されない。例えば、各放送鉄塔ごとに、すべてのチャネルのエラー率の合計や最大エラー率、あるいは１つのチャンネルのエラー率（これらを総称してエラー率に関する数値と呼ぶ）を求め、最もエラー率に関する数値が小さいものを有効放送鉄塔として登録するように構成しても良い。
【００４９】
また、上述の各実施例においては、この発明をテレビ放送に適用する例を示したが、これに限定されず、この発明はＦＭ放送にも適用することができる。
また、上述の各実施例においては、この発明をアナログの放送に適用する例を示したが、これに限定されず、この発明はデジタルの放送にも適用することができる。
また、上述の各実施例においては、この発明をテレビ放送受信装置に適用する例を示したが、これに限定されず、この発明はテレビ受信機能を備えたパーソナルコンピュータにも適用することができる。
また、上述の第１の実施例においては、表示部５に表示される受信状況確認画面に当該地域及びその周辺地域に設けられているすべての放送鉄塔を表示する例を示したが、これに限定されず、有効放送鉄塔候補だけを表示するように構成しても良い。
【００５０】
【発明の効果】
以上説明したように、この発明の構成によれば、受信困難地域やローカル放送局が多数設立されている地域に設置されている複数の放送鉄塔の中で最良の画質や音質を提供する放送鉄塔を簡単な操作で自動的に選択することができる。
【図面の簡単な説明】
【図１】この発明の第１の実施例である放送鉄塔選択方法を説明するためのフローチャートである。
【図２】有効放送鉄塔テーブル１０ｂの構成例を示す図である。
【図３】表示部に表示される受信状況確認画面の一例を示す図である。
【図４】この発明の第２の実施例である放送鉄塔選択方法を適用したテレビ放送受信装置の構成を示すブロック図である。
【図５】同方法を説明するためのフローチャートである。
【図６】同装置を構成する受信放送局記憶部１０の一部である受信チャンネルテーブル１０ｃの構成例を示す図である。
【図７】有効放送鉄塔テーブル１０ｄの構成例を示す図である。
【図８】この発明の第２の変形例を説明するための概念図である。
【図９】神奈川県西部地方及びその周辺の地域において放送鉄塔が設置されている場所の地名と、各放送鉄塔から放射される放送電波のテレビ放送局の通称及びチャンネルの一例を示す図である。
【図１０】従来のテレビ放送受信装置の構成例を示すブロック図である。
【図１１】従来の放送鉄塔選択方法を説明するためのフローチャートである。
【図１２】電波判別信号ＲＷＤの波形の一例を示す図である。
【図１３】同装置を構成する受信放送局記憶部１０の一部である受信チャンネルテーブル１０ｃの構成例を示す図である。
【符号の説明】
１              受信アンテナ
２，３１        チューナ
３              放送局判別部
７              制御部
９              既知鉄塔情報記憶部
１０            受信放送局記憶部
１０ａ，１０ｃ  受信チャンネルテーブル
１０ｂ，１０ｄ  有効放送鉄塔テーブル
３２            ＶＢＩ信号抽出部
３３            エラー訂正処理部
【図１】
0004026403.tif 000002
【図２】
0004026403.tif 000003
【図３】
0004026403.tif 000004
【図４】
0004026403.tif 000005
【図５】
0004026403.tif 000006
【図６】
0004026403.tif 000007
【図７】
0004026403.tif 000008
【図８】
0004026403.tif 000009
【図９】
0004026403.tif 000010
【図１０】
0004026403.tif 000011
【図１１】
0004026403.tif 000012
【図１２】
0004026403.tif 000013
【図１３】
0004026403.tif 000014